(57)【要約】【課題】  コンパクトであり、伸長状態の傘を容易に収納可能であり、伸長状態の傘を収納した状態でも側部に小傘袋等が露出せず見た目に優れる傘袋を提供する。【解決手段】  袋状となった袋体３の一方の側には第２の開口部である開口部９ａが形成される。また、袋体３のファスナ１７とは反対側の側部には開閉部７が形成される。開閉部７はボタン１１によって結合されて袋状となるが、ボタン１１を外すことで、袋体３の長手方向に沿って開放される。袋体３内部には、折り畳まれた状態の第１の袋体である袋体５が収納されている。開口部９ａにおいては、袋体３の開口部９ａ内に環状に袋体５が折り込まれ、袋体５の両端部と袋体３の両端部が結合されている。【選択図】図１
2011050407.tif 000002
【特許請求の範囲】
【請求項１】
一方に第１の開口部を有する第１の袋体と、
前記第１の袋体の一部を内側に折り込んで内容積が前記第１の袋体よりも少ない第２の袋体を形成するとともに、前記第１の開口部の一部が折り込まれて、前記第１の開口部よりも小さな第２の開口部を形成し、
前記第２の袋体の形状を保持する保持手段と、
を具備し、
前記第１の袋体は、前記第１の開口部から傘を収納し、
前記第２の袋体は、前記第２の開口部から折り畳まれた前記傘を収納することを特徴とする傘袋。
【請求項２】
前記第２の袋体の側部に、前記第２の袋体の長手方向に沿って開閉可能な開閉部が形成されることを特徴とする請求項１記載の傘袋。
【請求項３】
前記第２の袋体には、少なくとも一方の端部が着脱可能な紐部材が設けられることを特徴とする請求項１または請求項２のいずれかに記載の傘袋。
【請求項４】
前記紐部材の両端部のそれぞれが、前記第２の袋体の側部に接合可能であり、前記紐部材が取手として利用可能であることを特徴とする請求項３記載の傘袋。
【請求項５】
前記第１の袋体の先端内部には紐が接合されており、前記紐の先端を引くことで、傘袋を裏返すことが可能であることを特徴とする請求項１から請求項４のいずれかに記載の傘袋。
【発明の詳細な説明】
【技術分野】
【０００１】
本発明は、折り畳み傘の伸長状態および折り畳み状態それぞれの状態の傘を好適に収納可能傘袋に関するものである。
【背景技術】
【０００２】
従来、折り畳み傘は傘袋に収納され、使用時には傘袋から取り出され、折り畳まれた傘を使用状態（以下単に伸長状態と称する）に伸ばして、傘として使用される。一方、伸長状態である使用中の傘は、当該傘袋には入らないため、店に入る際や電車等に乗る際には、傘を折り畳むか、濡れないように注意する必要がある。このため、伸長状態の傘も収納することが可能な傘袋が望まれる。
【０００３】
このような、折り畳まれた状態と伸長状態の両者を収納可能な傘袋としては、例えば、折り畳まれた状態の傘を収納可能な長さの位置に下端開放のポケットを設け、ポケットの下方に係合部材を設けた折り畳み用傘袋がある（特許文献１）。
【０００４】
また、長さの異なる収納部を接合し、それぞれの開口部より折り畳み状態の傘と伸長状態の傘を収納可能であり、折り畳み状態の傘を収納した状態では、伸長状態の傘を収納する収納部を折り畳んで開口部を塞ぐことができる傘袋がある（特許文献２）。
【０００５】
また、折り畳まれた傘を収納する収納袋部と伸長状態の傘を収納可能な傘袋部とが一体で形成され、傘袋部が収納袋部に折り畳まれて収納可能である傘袋がある（特許文献３）。
【先行技術文献】
【特許文献】
【０００６】
【特許文献１】実開平７−３３３７公報
【特許文献２】特開２００８−１８０６４号公報
【特許文献２】特開平１０−１９２０２３号公報
【発明の概要】
【発明が解決しようとする課題】
【０００７】
しかし、特許文献１から特許文献３に記載の傘袋は、単に折り畳み状態の傘と伸長状態の傘を収納可能な二つの袋部を一体で形成するか、または、単に袋部の長さを調整可能に折りたたむものである。したがって、折り畳み状態の傘と伸長状態の傘を入れる袋をそれぞれ設けたのでは、単に二つの袋を一体化させたのみであり、全体としてかさばってしまう。
【０００８】
また、特許文献１から特許文献３記載の傘袋は、折り畳み状態の傘を収納する開口部と伸長状態の傘を収納する際の開口部サイズが略同じであり、特に使用時に濡れた状態である伸長状態の傘を袋に収納するのが困難である。一方で、前述のように、開口の小さな小傘袋と開口の大きな大傘袋とを一体化させたのみでは、全体としてかさばってしまう。
【０００９】
したがって、折り畳み状態の傘を収納する場合でもできるだけコンパクトであり、また、伸長状態の傘を収納する場合に、例えば濡れた状態の傘であっても、収納が容易な傘袋が望まれる。
【００１０】
本発明は、このような問題に鑑みてなされたもので、コンパクトであり、伸長状態の傘を容易に収納可能であり、伸長状態の傘を収納した状態でも側部に小傘袋等が露出せず見た目に優れる傘袋を提供することを目的とする。
【課題を解決するための手段】
【００１１】
前述した目的を達成するため、本発明は、一方に第１の開口部を有する第１の袋体と、前記第１の袋体の一部を内側に折り込んで内容積が前記第１の袋体よりも少ない第２の袋体を形成するとともに、前記第１の開口部の一部が折り込まれて、前記第１の開口部よりも小さな第２の開口部を形成し、前記第２の袋体の形状を保持する保持手段と、を具備し、前記第１の袋体は、前記第１の開口部から傘を収納し、前記第２の袋体は、前記第２の開口部から折り畳まれた前記傘を収納することを特徴とする傘袋である。
【００１２】
なお、前記第１の開口部の一部が折り込まれて、前記第１の開口部よりも小さな第２の開口部を形成するとは、例えば、第１の開口部が円形であるとすると、第１の開口部の一部を円の中心方向に押し込み、押しこまれた部位の両側部（開口部の外周部同士）を結合することで、当該結合部により形成される略円形（内外二つの略円形状の内、外側の円形状部）を第２の開口部とすることである。第１の開口部の円周長の一部は、第２の開口部の内側で開口部とは別に円形に構成されるため、第２の開口部の開口サイズは当然に小さくなる。
【００１３】
前記第２の袋体の側部に、前記第２の袋体の長手方向に沿って開閉可能な開閉部が形成されることが望ましい。
【００１４】
前記第２の袋体には、少なくとも一方の端部が着脱可能な紐部材が設けられてもよく、この場合、前記紐部材の両端部のそれぞれが、前記開閉部の両側に亘って接合可能であり、前記紐部材が取手として利用可能であってもよい。
【００１５】
前記第１の袋体の先端内部には紐が接合されており、前記紐の先端を引くことで、傘袋を裏返すことが可能であってもよい。
【００１６】
本発明によれば、第１、第２の袋体が一体で形成され、第１の袋体を内側に折り込むことで第２の袋体を形成可能であるため、第１の袋体を広げた状態では第２の袋体は第１の袋体の一部となり、第１の袋体の一部を折り込むと内容積が小さく、かつ、開口部が小さくなるように第２の袋体が形成される。このため、折り畳まれた状態の傘を第２の袋体に収納する場合には、内容積が少なく、かつ、開口部が小さくなり、伸長状態の傘を第１の袋体に収納する場合には、内容積が大きくなり、開口部も大きくなる。このため、それぞれの状態の傘を容易に収納可能である。
【００１７】
また、第２の袋体の側部に開閉部を設ければ、伸長状態の傘を収納する際には、開閉部を開くことでより簡易に傘を傘袋に収納可能であるとともに、内部を乾燥させる際にも有効である。
【００１８】
また、第２の袋体に少なくとも一方が着脱可能な紐部材が設けられれば、通常時、または折り畳まれた状態の傘を収納時には、当該紐部材を全体に巻きつけるようにしてよりコンパクトに傘を傘袋に収納可能であるとともに、当該紐部材を第２の袋体の側部に接合して取手として利用可能であれば、伸長状態の傘を周のした状態で、傘袋を手に下げることができる。
【００１９】
また、第１の袋体の先端内部に紐を設けておき、紐の先端を引っ張ることで傘袋を裏返しにすることができれば、濡れた傘袋の乾燥等が容易である。
【発明の効果】
【００２０】
本発明によれば、コンパクトであり、伸長状態の傘を容易に収納可能であり、伸長状態の傘を収納した状態でも側部に小傘袋等が露出せず見た目に優れる傘袋を提供することができる。
【図面の簡単な説明】
【００２１】
【図１】傘袋１を示す図であり（ａ）は斜視図、（ｂ）は平面図、（ｃ）は傘袋１を展開して広げた状態を示す斜視図。
【図２】傘袋１への折り畳まれた状態の傘１９ａの収納状態を示す図。
【図３】紐部材１３を取手状に設けた状態を示す図で、（ａ）は斜視図、（ｂ）は平面図。
【図４】ファスナ１７を開放した状態を示す図。
【図５】袋体３から袋体５を展開して広げる状態を示す図。
【図６】開閉部７を開放した状態を示す図で、（ａ）は斜視図、（ｂ）は平面図。
【図７】傘袋１への伸長状態の傘１９ｂの収納状態を示す図。
【図８】紐２１によって傘袋１を裏返した状態を示す図。
【発明を実施するための形態】
【００２２】
以下、本発明の実施の形態を詳細に説明する。図１は、本発明にかかる傘袋１を示す図であり、図１（ａ）は、傘袋１の（正面）斜視図、図１（ｂ）は傘袋１の平面図、図１（ｃ）は、傘袋１を展開して広げた状態を示す斜視図である。
【００２３】
図１（ａ）、図１（ｂ）に示すように、傘袋１は、通常時（非使用時または後述する折り畳まれた状態の傘を収納する状態）には、袋状の袋体３と、袋体３の外周に巻きつけられる紐部材１３等により構成されている。なお、第２の袋体である袋体３は、シート状の収納部材であり、袋体３を袋状に保持する保持手段であるファスナ１７によって袋状になる。すなわち、袋体３は、ファスナ１７によって、袋体３の両側部を結合することで袋状となる。
【００２４】
袋状となった袋体３の一方の側には第２の開口部である開口部９ａが形成される。また、袋体３のファスナ１７とは反対側の側部（袋体３の上方）には開閉部７が形成される。開閉部７はボタン１１によって結合されて袋状となるが、ボタン１１を外すことで、袋体３の長手方向（図中左右方向であり、傘の挿入方向）に沿って開放される。
【００２５】
袋体３の周囲には紐部材１３が巻きつけられる。紐部材１３の両端は、袋体３の側部（開閉部７近傍）にボタン１５によって結合される。なお、ボタン１５は、開閉部７をまたぐように設けられる。
【００２６】
袋体３内部には、折り畳まれた状態の第１の袋体である袋体５が収納されている。開口部９ａにおいては、袋体３の開口部９ａ内に環状に袋体５が折り込まれ、袋体５の両端部と袋体３の両端部が結合されている。なお、袋体３、袋体５は合成樹脂繊維製など水が浸み込みにくい材質であることが望ましい。
【００２７】
図１（ｃ）に示すように、袋体５を袋体３から展開して広げると、袋体３よりも内容積が大きく、かつ、開口部９ａよりも開口サイズが大きな、第１の開口部である開口部９ｂを有する袋状となる。なお、袋体５は、袋体３と一体となって袋状となり、この状態で、袋体３、袋体５がそれぞれ単独で袋状に形成されるものではない。袋体５は、シート状の収納部材であり、袋体３と一体化して、袋状の形態を形成する。なお、以下においては、袋体３と一体化された袋状部材を袋体５と称する。
【００２８】
袋体５を袋状にした場合の開口部９ｂは、袋体３が袋状である場合の開口部９ａよりも大きくまた、袋体５は袋体３よりも長さが長くなる。このため、伸長状態の傘をも収納可能である。
【００２９】
この状態において、紐部材１３を外して、それぞれボタン１５に接合することで、紐部材１３を傘袋１の取手として利用することができる。また、開閉部７を開くことで、袋体５の開口部９ｂをより大きく開くことができ、傘の挿入が容易となる。なお、ボタン１５は開閉部７を挟んで袋体３の両方に設けられるため、開閉部７を開いた状態で紐部材１３を取手として利用した場合であっても、開閉部７から傘が落下することがない。
【００３０】
次に、傘袋１の使用方法について説明する。図２は、傘袋１への折り畳まれた状態の傘１９ａの収納状態を示す図である。前述の通り、袋体５の一部を内方に折り込んで袋体３とした状態では、開口部９ａは折り畳まれた状態の傘１９ａが挿入可能な大きさであり、また、袋体３の長さは、傘１９ａの長さに略一致する。
【００３１】
図２（ａ）に示すように、この状態で開口部９ａより傘１９ａを挿入する（図中矢印Ａ方向）。この際、内方に折り込まれた袋体５の一部は、傘１９ａの挿入の妨げにならないように、脇によけられる。なお、傘１９ａの挿入が困難である場合には、紐部材１３を一度外してから傘１９ａを挿入すれば良い。
【００３２】
図２（ｂ）に示すように、完全に傘１９ａが傘袋１（袋体３）に挿入されると、紐部材１３によりしっかりと固定する。以上により、傘１９ａが傘袋１（袋体３）内に収納される。なお、必要に応じて、袋体３の開口部９ａ近傍にストラップ等の手提げ部を別途設けてもよい。
【００３３】
次に、傘を使用後、伸長された状態の傘を収納する方法について説明する。図３〜図７は、傘袋１を展開して伸長状態の傘を収納する手順を示す図である。
【００３４】
まず、図３（ａ）に示すように、袋体３に巻き付けられていた紐部材１３を外し、両端をボタン１５に接合する。前述の通り、ボタン１５は開閉部７をまたぐように両側に配置されているため、紐部材１３は開閉部７の両側にわたって袋体３に取り付けられる。なお、一対のボタン１５の中心は袋体３の長手方向に対して、略中央に配置される。このため、紐部材１３を取手状態とした場合には、袋体３の紐部材１３は袋体３の重心に対してほぼ（長手方向）中央に位置する。
【００３５】
次に、図４に示すように、袋体３の保持手段であるファスナ１７を開放する（図中矢印Ｂ方向）。この状態では、袋体３はもはや袋状ではなくなる。なお、保持手段としては、ファスナ１７以外であってもよく、例えば、ボタンや面状ファスナ等、袋体３を袋状の保持できるものであればいずれのものであってもよい。
【００３６】
次に、図５（ａ）に示すように、袋体３内方に折り込まれていた袋体５を引き出して、傘袋１を展開する。開口部９ｂ側においては、袋体３内方に折り込まれていた袋体５の一部の表裏を裏返すように袋体３から取り出す（図中矢印Ｃ方向）。したがって、袋体３端部のみで構成されていた開口部９ａが、袋体３端部および袋体５端部とで構成され、より大きな開口部９ｂとなる。すなわち、袋体５を袋体３より引き出して広げると、開口部の開口サイズは、袋体３のみで袋状に構成されていた場合と比較し大きくなる。
【００３７】
袋体３の先端近傍においても同様に、袋体３から折り畳まれた袋体５を取り出す（図中矢印Ｄ方向）。袋体５は、袋体３よりも長さが長いため、袋体５は丸められて折り畳まれた状態で、袋体３内に表裏を裏返すように収納されている。したがって、図５（ａ）に示すように、まず袋体５を袋体３より取り出した後、図５（ｂ）に示すように、袋体５を長手方向（先端方向）に伸ばす（図中矢印Ｅ方向）。以上により、袋体５が袋体３より取り出されて広げられる。なお、この状態では、前述の通り、袋体３と袋体５の両側部（ファスナ１７近傍）が結合され、一つの開口部９ｂを有する袋状となる。袋体５の長さは、伸長状態の傘が収納可能な長さである。
【００３８】
次に、図６に示すように、必要に応じて、開閉部７を開く。開閉部７を開く場合には、ボタン１１を外せば良い。なお、開閉部７の開閉を、ファスナ等の他の開閉手段で行ってもよい。図６（ｂ）に示すように、開閉部７を開くと、傘袋１の上面側にスリット状の開放部が形成される。
【００３９】
図７（ａ）に示すように、この状態で、伸長状態の傘１９ｂを開口部９ｂ（および開放された開閉部７）から傘袋１（袋体５）内に挿入する（図中矢印Ｆ方向）。袋体５の長さを傘１９ｂよりも長くしておけば、傘１９ｂは完全に傘袋１（袋体５）に収納される。したがって、傘１９ｂが濡れていても、傘１９ｂを傘袋１に収納することで、周囲を濡らすことがない。また、開口部９ｂおよび開閉部７によって、傘１９ｂの挿入部の挿入口が極めて広いため、濡れた傘１９ｂであっても、すぐに傘袋に入れることができる。
【００４０】
また、紐部材１３が取手の役割を果たすため、持ちやすく、紐部材１３が開閉部７の両側部に亘って設けられるため、傘１９ｂが開閉部７から脱落することもない。なお、紐部材１３を結合するボタン１５は、取手としての紐部材１３が袋体３の重心位置になるように設けられる。したがって、袋体３よりも先端方向に長くなる袋体５に対しては、取手としての紐部材１３は開口部９ｂ側に偏った位置に配置される。このため、紐部材１３を取手として傘袋１を持つと、傘袋１の先端側（開口部９ｂとは反対側）が下がったように斜めになる。このため、傘１９ｂは、開口部９ｂから脱落することがなく、また、水も袋体５の先端にたまるため、外部に流出することがない。
【００４１】
以上説明したように、本発明にかかる傘袋１によれば、折り畳まれた状態の傘１９ａと伸長状態の傘１９ｂの両方を収納可能な傘袋を得ることができる。また、折り畳まれた状態の傘１９ａを収納する際には、袋体３が袋状となって傘１９ｂを収納し、伸長した状態の傘１９ｂを収納する際には、袋体３から引き出された袋体５が袋状となって傘１９ｂを収納することができる。袋体３を袋状にした状態は、袋体５を袋状にした状態と比較して、内容積が少なく、開口部の開口面積が小さくなる。このため、袋体３はコンパクトであり、折り畳まれた状態の傘１９ａを収納するのに適している。
【００４２】
特に、開口部９ｂは開口部９ａの一部を利用しているため、袋体３、袋体５の二つの状態において、傘の挿入口である開口部の一部が共通する。このため、傘１９ａ、１９ｂそれぞれの挿入口を別々に設ける必要がなく、構造が簡易であり、傘の挿入性に優れ、また、傘袋１を広げた際に余分な袋部が存在しないため、見た目にも優れる。
【００４３】
また、袋体５を広げると、袋体５は袋体３に対して、開口部が広がる方向、および長さが長くなる方向に広がる。したがって、伸長状態の傘１９ｂを容易に挿入でき、また、傘袋１に収納された状態で、周囲を濡らすこともない。また、開閉部７を開けば、より簡易に傘１９ｂを袋体５に挿入することができる。開閉部７はまた、傘袋１の乾燥時にも利用することができる。
【００４４】
また、紐部材１３は、通常時には袋体３を巻きつけるようにすることで、傘１９ａをしっかりと保持するとともに、袋体３をよりコンパクトに保持し、また、紐部材１３を外して、ボタン１５につけなおすことで、取手としても利用することができる。
【００４５】
また、紐部材１３を取手として利用する際、袋体３を袋状にする際には、袋体３の長手方向の略中心に重心が来るようにボタン１５が配置されるため、取手を持った際に、袋体３は略水平に保たれる。一方、袋体５を広げると、袋体５は袋体３の長手方向に広がり、重心位置が先端方向にずれるため、取手を持った際に、傘袋１の先端部が下方に下がる。このため、傘１９ｂが開口部９ｂより脱落することがなく、袋体５内に溜まった水が外部に流出することもない。
【００４６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００４７】
たとえば、図８（ａ）に示すように、袋体５の内面先端近傍に紐２１の一方の端部を接合して、他方の端部を傘袋１の外部に導出するように設けてもよい。この状態で、紐２１を傘の挿入方向とは逆方向（図中矢印Ｇ方向）に引っ張る。すると、図８（ｂ）に示すように、袋体５の先端部を裏返しながら、開口部９ｂ側に引っ張り出すことができる。図８（ｃ）に示すように、傘袋１を完全に裏返すことで、濡れた傘袋１を容易に乾燥させ、また、洗浄することができるため清潔である。
【００４８】
また、この他、開口部９ｂの外周部に、開口部９ｂの形状を保持するばねや樹脂等の保持部材を設けることもできる。保持部材は、開口部９ｂが完全に開かれた状態（図６の状態）で、開口部９ｂが閉じないような形状でＵ字状（開閉部７で途切れた形状）に保持し、傘の収納を容易にするとともに、袋体５を袋体３に収納する際には、弾性変形によりＵ字の底辺部を逆方向に円弧上に袋体３内に折り畳むことで、開口部９ａ（および内部の円弧状の形状）を形成する。また、ファスナ１７を開けて袋体５を引き出すと、保持部材がもとのＵ字状に戻り開口部９ｂの形状が保持される。
【符号の説明】
【００４９】
１………傘袋
３………袋体
５………袋体
７………開閉部
９ａ、９ｂ………開口部
１１………ボタン
１３………紐部材
１５………ボタン
１７………ファスナ
１９ａ、１９ｂ………傘
２１………紐
【図１】
2011050407.tif 000003
【図２】
2011050407.tif 000004
【図３】
2011050407.tif 000005
【図４】
2011050407.tif 000006
【図５】
2011050407.tif 000007
【図６】
2011050407.tif 000008
【図７】
2011050407.tif 000009
【図８】
2011050407.tif 000010